【手続補正書】
【提出日】平成17年12月2日(2005.12.2)
【手続補正１】
【補正対象書類名】明細書
【補正対象項目名】発明の名称
【補正方法】変更
【補正の内容】
【発明の名称】印刷条件設定方法、コンピュータおよび印刷システム
【手続補正２】
【補正対象書類名】明細書
【補正対象項目名】特許請求の範囲
【補正方法】変更
【補正の内容】
【特許請求の範囲】
【請求項１】  印刷材を印刷媒体に付与して画像の印刷を行なう印刷装置の印刷条件設定方法であって、
印刷しようとする画像の印刷品位を取得し、
前記印刷しようとする画像の解析を行い、
前記取得した印刷品位と前記解析結果に基づいて、前記印刷材に関する条件または前記印刷媒体に関する条件の少なくとも１つを含む印刷条件を決定する、
ステップを有したことを特徴とする印刷条件設定方法。
【請求項２】  前記印刷条件を決定するステップにより決定された印刷条件を表示するステップをさらに有し、前記印刷装置は、該表示に対応した予め定められた入力がされることにより、前記表示された印刷条件で印刷を行なうことを特徴とする請求項１に記載の印刷条件設定方法。
【請求項３】  前記印刷装置はインクジェット方式の印刷装置であり、前記印刷条件の決定は、前記印刷装置に搭載可能なインクカートリッジの個数によって制限されるインクの組み合わせを決定することを特徴とする請求項１または２に記載の印刷条件設定方法。
【請求項４】  前記印刷条件の決定は、前記印刷品位に応じた印刷媒体を決定することを特徴とする請求項１ないし３のいずれかに記載の印刷条件設定方法。
【請求項５】  前記画像の解析は、前記画像が文書画像、グラフィックス画像または写真画像のいずれかであるかの判定、およびカラー画像であるか白黒画像であるかの判定を行うことを特徴とする請求項１ないし４のいずれかに記載の印刷条件設定方法。
【請求項６】  前記画像の解析は、前記画像の色分布の特徴量を求めることを特徴とする請求項１ないし５のいずれかに記載の印刷条件設定方法。
【請求項７】  前記画像の解析は、前記画像の、ＣＩＥが定めるＬ*ａ*ｂ*空間またはＸＹＺ空間における色分布の特徴量を求めることを特徴とする請求項６に記載の印刷条件設定方法。
【請求項８】  印刷材を印刷媒体に付与して画像の印刷を行なう印刷装置の印刷条件を設定するコンピュータであって、
印刷しようとする画像の印刷品位を取得する品位取得手段と、
前記印刷しようとする画像の解析を行う画像解析手段と、
前記取得した印刷品位と前記解析結果に基づいて、前記印刷材に関する条件または前記印刷媒体に関する条件の少なくとも１つを含む印刷条件を決定する印刷条件決定手段と、
を具えたことを特徴とするコンピュータ。
【請求項９】  前記印刷条件決定手段により決定された印刷条件を表示する表示手段をさらに具え、前記印刷装置は、該表示に対応した予め定められた入力がされることにより、前記表示された印刷条件で印刷を行なうことを特徴とする請求項８に記載のコンピュータ。
【請求項１０】  前記印刷装置はインクジェット方式の印刷装置であり、前記印刷条件決定手段は、前記印刷装置に搭載可能なインクカートリッジの個数によって制限されるインクの組み合わせを決定することを特徴とする請求項８または９に記載のコンピュータ。
【請求項１１】  前記印刷条件決定手段は、前記印刷品位に応じた印刷媒体を決定することを特徴とする請求項８ないし１０のいずれかに記載のコンピュータ。
【請求項１２】  前記画像解析手段は、前記画像が文書画像、グラフィックス画像または写真画像のいずれかであるかの判定、およびカラー画像であるか白黒画像であるかの判定を行うことを特徴とする請求項８ないし１１のいずれかに記載のコンピュータ。
【請求項１３】  前記画像解析手段は、前記画像の色分布の特徴量を求めることを特徴とする請求項８ないし１２のいずれかに記載のコンピュータ。
【請求項１４】  前記画像解析手段は、前記画像の、ＣＩＥが定めるＬ*ａ*ｂ*空間またはＸＹＺ空間における色分布の特徴量を求めることを特徴とする請求項１３に記載のコンピュータ。
【請求項１５】  印刷材を印刷媒体に付与して画像の印刷を行なう印刷装置と、該印刷装置の印刷条件を設定するコンピュータとを有した印刷システムであって、
印刷しようとする画像の印刷品位を取得する品位取得手段と、
前記印刷しようとする画像の解析を行う画像解析手段と、
前記取得した印刷品位と前記解析結果に基づいて、前記印刷材に関する条件または前記印刷媒体に関する条件の少なくとも１つを含む印刷条件を決定する印刷条件決定手段と、
を具えたことを特徴とする印刷システム。
【請求項１６】  コンピュータに読み込まれることにより、印刷材を印刷媒体に付与して画像の印刷を行なう印刷装置の印刷条件設定処理を実行するためのプログラムであって、前記印刷条件設定処理は、
印刷しようとする画像の印刷品位を取得し、
前記印刷しようとする画像の解析を行い、
前記取得した印刷品位と前記解析結果に基づいて、前記印刷材に関する条件または前記印刷媒体に関する条件の少なくとも１つを含む印刷条件を決定する、
ステップを有したことを特徴とするプログラム。
【請求項１７】  印刷材を印刷媒体に付与して画像の印刷を行なう印刷装置の印刷条件設定処理を実行するためのプログラムをコンピュータに読取り可能に格納した記憶媒体であって、前記印刷条件設定処理は、
印刷しようとする画像の印刷品位を取得し、
前記印刷しようとする画像の解析を行い、
前記取得した印刷品位と前記解析結果に基づいて、前記印刷材に関する条件または前記印刷媒体に関する条件の少なくとも１つを含む印刷条件を決定する、
ステップを有したことを特徴とする記憶媒体。
【手続補正３】
【補正対象書類名】明細書
【補正対象項目名】０００１
【補正方法】変更
【補正の内容】
【０００１】
【発明の属する技術分野】
本発明は印刷条件設定方法、コンピュータおよび印刷システムに関し、詳しくは、印刷出力すべき画像に合ったインクの組み合わせなど、適切な印刷条件を設定して印刷を行うための印刷条件設定方法に関するものである。
【手続補正４】
【補正対象書類名】明細書
【補正対象項目名】００１３
【補正方法】変更
【補正の内容】
【００１３】
本発明は上述の問題を解決するためになされたものであり、その目的とするところは、印刷品位や画像の種類に応じて印刷媒体やインクの種類など適切な印刷条件を設定して印刷を行うための印刷条件設定方法、コンピュータおよび印刷システムを提供することにある。
【手続補正５】
【補正対象書類名】明細書
【補正対象項目名】００１４
【補正方法】変更
【補正の内容】
【００１４】
【課題を解決するための手段】
そのために本発明では、印刷材を印刷媒体に付与して画像の印刷を行なう印刷装置の印刷条件設定方法であって、印刷しようとする画像の印刷品位を取得し、前記印刷しようとする画像の解析を行い、前記取得した印刷品位と前記解析結果に基づいて、前記印刷材に関する条件または前記印刷媒体に関する条件の少なくとも１つを含む印刷条件を決定する、ステップを有したことを特徴とする。
また、印刷材を印刷媒体に付与して画像の印刷を行なう印刷装置の印刷条件を設定するコンピュータであって、印刷しようとする画像の印刷品位を取得する品位取得手段と、前記印刷しようとする画像の解析を行う画像解析手段と、前記取得した印刷品位と前記解析結果に基づいて、前記印刷材に関する条件または前記印刷媒体に関する条件の少なくとも１つを含む印刷条件を決定する印刷条件決定手段と、を具えたことを特徴とする。
さらに、印刷材を印刷媒体に付与して画像の印刷を行なう印刷装置と、該印刷装置の印刷条件を設定するコンピュータとを有した印刷システムであって、印刷しようとする画像の印刷品位を取得する品位取得手段と、前記印刷しようとする画像の解析を行う画像解析手段と、前記取得した印刷品位と前記解析結果に基づいて、前記印刷材に関する条件または前記印刷媒体に関する条件の少なくとも１つを含む印刷条件を決定する印刷条件決定手段と、を具えたことを特徴とする。